(57)【要約】【課題】照明器具の大型化を抑制し、安全性及び利便性を向上させる。【解決手段】ランプ装置１０は、照明器具１の器具本体２に着脱可能に取り付けられるものである。ランプ装置１０は、一面側にランプピン１４を有する口金部１３が設けられ、他面側に光を出射する発光モジュールＬＭが配置されたランプ本体１１と、発光モジュールＬＭ上に取り付けられた照射カバー１５と、ランプ本体１１の側壁１１Ｓにおいて外方に向かってスライド自在に設けられ、ランプ本体１１から突出して器具本体２に係止される複数の係止部材２０と、照射カバー１５上に設けられ、複数の係止部材２０のスライドを操作する操作部３０とを備える。【選択図】図６
2015201370.tif 000002
【特許請求の範囲】
【請求項１】
照明器具の器具本体に着脱可能に取り付けられるランプ装置であって、
一面側にランプピンを有する口金部が設けられ、他面側に光を出射する発光モジュールが配置されたランプ本体と、
前記発光モジュール上に取り付けられた照射カバーと、
前記ランプ本体の側壁において前記ランプ本体に対しスライド自在に設けられ、前記ランプ本体から突出して前記器具本体に係止される複数の係止部材と、
前記照射カバー上に設けられ、前記複数の係止部材のスライドを操作する操作部と
を備えたことを特徴とするランプ装置。
【請求項２】
前記係止部材は、前記ランプ本体の側壁から外方に向かって付勢されており、前記操作部が操作された際に前記ランプ本体の内部へ収容されるようにスライドするものであることを特徴とする請求項１に記載のランプ装置。
【請求項３】
前記照射カバーには、ボタン孔が形成されており、
前記操作部は、前記照射カバーのボタン孔に挿入されるとともに前記複数の係止部材毎にそれぞれ設けられている押しボタンからなり、
前記押しボタンは、押圧された際に前記係止部材に前記ランプ本体の内部へ向かう力を伝えるものであることを特徴とする請求項１又は２に記載のランプ装置。
【請求項４】
前記ランプ本体は、外周側にヒートシンクを有するものであることを特徴とする請求項１〜３のいずれか１項に記載のランプ装置。
【請求項５】
前記ランプ本体は、円柱形状を有するものであり、
前記係止部材は、前記ランプ本体の中心に対し回転対称になる位置に複数設けられていることを特徴とする請求項１〜４のいずれか１項に記載のランプ装置。
【請求項６】
器具本体と、
前記器具本体に着脱可能に取り付けられる請求項１〜５のいずれか１項に記載のランプ装置が装着されるソケットと、
を有し、
前記器具本体には、前記係止部材が係止される係止溝が形成されていることを特徴とする照明器具。
【発明の詳細な説明】
【技術分野】
【０００１】
本発明は、器具本体に着脱可能に固定されるランプ装置及びこれを用いた照明器具に関するものである。
【背景技術】
【０００２】
従来から、ダウンライト器具としてＬＥＤを用いたランプ装置が用いることが提案されている。また、ランプ装置を回転させて取り付ける口金部としてＧＸ５３形又はＧＨ７６Ｐ型の口金部等が知られている。このランプ装置は扁平形状を有しており、その上面側においてＧＸ５３形等に合致したランプピンが設けられ、下面側にＬＥＤ等からなる平面形の光源が配置された構造を有している。
【０００３】
上述したランプ装置は、回転させてランプピンをソケットの絶縁物で保持することが一般的であるが、ランプ装置を器具本体に装着する際の安全性等を考慮した種々の構造が提案されている（例えば、特許文献１、２参照）。特許文献１には、ランプ装置の側壁にフックが設けられており、フックが器具本体側のソケットに掛かることによりランプ装置が器具本体に着脱可能に取り付けられる照明器具が開示されている。そして、ランプ装置が器具本体から取り外される際、ランプ装置の側壁から指を入れてフックの係止状態を解除するようになっている。特許文献２には、照射面側に凸部を設け、指を引っかけるなどして回転動作を補助する構造のランプ装置が提案されている。
【先行技術文献】
【特許文献】
【０００４】
【特許文献１】中国特許出願公開第２０１２１００９３６９２号明細書（段落００２８、００３７）
【特許文献２】特開２０１３−３０４１４号公報（段落００２８）
【発明の概要】
【発明が解決しようとする課題】
【０００５】
しかしながら、特許文献１のロック解除機構は、ランプ装置の側面を操作することにより係止状態を解除するものであるため、照明器具側の器具本体とランプ装置との間に指を挿入するための隙間が必要になり照明器具が大きくなってしまう。
【０００６】
また、ランプ装置の大光量化に伴い、ランプ装置のランプ本体にはアルミニウムなどで加工された放熱を行うヒートシンクが必要になる。このため、蛍光灯ランプを用いたランプ装置に比べて重量が増える傾向がある。一方、地震などの外的要因又はランプの取付不良などにより、ランプ装置が意図せず回転してソケットから落下する可能性があり、特にランプ装置の重量が増えた場合に危険度が高まる。よって、特許文献２のように滑り止め等が設けられているだけの場合、ランプ装置をソケットから解除した際に、ランプ装置の重い重量が指先に掛かることで不安定になり、高所での作業などでは危険が生じる場合がある。
【０００７】
本発明は、上記のような課題を解決するためになされたものであり、照明器具の大型化を抑制し、安全性及び利便性を向上させることができるランプ装置及びこれを用いた照明器具を提供することを目的としている。
【課題を解決するための手段】
【０００８】
本発明のランプ装置は、照明器具の器具本体に着脱可能に取り付けられるランプ装置であって、一面側にランプピンを有する口金部が設けられ、他面側に光を出射する発光モジュールが配置されたランプ本体と、発光モジュール上に取り付けられた照射カバーと、ランプ本体の側壁においてランプ本体に対しスライド自在に設けられ、ランプ本体から突出して器具本体に係止される複数の係止部材と、照射カバー上に設けられ、複数の係止部材のスライドを操作する操作部とを備えたものである。
【発明の効果】
【０００９】
本発明のランプ装置及びこれを用いた照明器具によれば、光を出射する照射カバー側に設けられた操作部の操作によりランプ本体の側壁側に設けられた係止部材のスライドを操作することにより、側壁側の器具本体への着脱構造を発光面側において操作することができるため、照明器具の大型化を抑制することができる。さらに、器具本体に対する口金部における着脱構造とは別に係止部材による着脱構造を設けることにより、器具本体から口金部を外した際に不意にランプ装置が落下するのを防止することができるため、安全性及び利便性を向上させることができる。
【図面の簡単な説明】
【００１０】
【図１】本発明の照明器具の実施形態を示す斜視図である。
【図２】本発明の照明器具の実施形態を示す分解斜視図である。
【図３】図１及び図２の照明器具においてソケットにランプピンが挿入された様子を示す断面図である。
【図４】本発明のランプ装置の実施形態を示す斜視図である。
【図５】本発明のランプ装置の実施形態を示す平面図である。
【図６】本発明のランプ装置の実施形態を示す分解斜視図である。
【図７】図４のランプ装置の通常時の状態を示す斜視図である。
【図８】図７のランプ装置における係止部材及び操作部の様子を示す模式図である。
【図９】図４のランプ装置における操作部の押圧時の様子を示す斜視図である。
【図１０】図９のランプ装置における係止部材及び操作部の様子を示す模式図である。
【発明を実施するための形態】
【００１１】
以下、図面を参照しながら本発明のランプ装置及びこれを用いた照明器具の実施形態について説明する。なお、以下に説明する実施の形態によって本発明が限定されるものではない。図１は本発明の照明器具の実施形態を示す斜視図、図２は照明器具の実施形態を示す分解斜視図である。図１及び図２の照明器具１は、例えば部屋もしくは通路等の室内の天井に設置され室内の照明を行うダウンライト照明であって、天井等に取り付けられる器具本体２と、器具本体２に収容されるランプ装置１０とを備えている。
【００１２】
器具本体２は、例えば有底の円筒形状に形成されたものであって、中空部２Ａを有している。中空部２Ａの開口縁部には天井に接触するフランジ部２Ｃが設けられている。また、器具本体２の外周側には器具本体２を天井等に固定するための取付バネ３が複数取り付けられており、器具本体２が天井に埋め込まれた際に取付バネ３により天井に固定される。中空部２Ａの内壁は反射板として機能しており、ランプ装置１０から出射した光の一部が中空部２Ａ内において反射し、器具本体２の開口から出射されるようになっている。
【００１３】
中空部２Ａ内にはランプ装置１０が取り付けられるソケット４が固定されており、ソケット４には外部から電力が供給される。このソケット４は例えばＧＸ５３形等の所定の形状を有し、ランプ装置１０側に設けられた後述する図４のランプピン１４が挿入されるピン接続孔４Ａを有している。図３は図１及び図２の照明器具においてソケット４にランプピン１４が挿入された様子を示す断面図である。ランプピン１４がピン接続孔４Ａに挿入され、所定の方向に回転したとき、図３に示すように、ランプピン１４がピン接続孔４Ａに支持されるとともに導電金具４Ｂと電気的に接続された状態になる。なお、中空部２Ａの内径Ｒ０は、ランプ装置１０の外径Ｒ１よりも大きく形成されており、器具本体２は中空部２Ａ内にランプ装置１０が挿入可能な大きさになっている。
【００１４】
図４は本発明のランプ装置の実施形態を示す斜視図、図５は本発明のランプ装置の実施形態を示す平面図、図６は本発明のランプ装置の実施形態を示す分解斜視図であり、図１から図６を参照してランプ装置１０について説明する。ランプ装置１０は、器具本体２に着脱可能に取り付けられるものであって、ランプ本体１１、照射カバー１５、発光モジュールＬＭ等を備えている。
【００１５】
ランプ本体１１は、一面側にランプピン１４を有する口金部１３が突出して設けられており、他面側に光を出射する発光モジュールＬＭが配置された構造を有している。具体的には、ランプ本体１１は、外径略円形形状を有するものであって、円筒状に形成されたヒートシンク１２と、ヒートシンク１２内に挿入された口金部（絶縁台）１３とを備えている。ヒートシンク１２の外周側には放熱フィンが設けられており、内周側において口金部１３と接触している。そして、ヒートシンク１２は口金部１３において生じた熱を外部に放出する。
【００１６】
口金部１３は、一面側においてヒートシンク１２から突出するように形成されており、ソケット４に電気的に接続される複数のランプピン１４を有している。複数のランプピン１４は、ソケット４の形状に合致した所定の形状を有しており、ヒートシンク１２に対し口金部１３を介して絶縁した状態になっている。また、口金部１３の内部には、図示しないコンバータ（例えばＡＣ／ＤＣコンバータ）が内蔵されており、ソケット４からランプピン１４を介して給電された電力を所望の電圧に変換する。そして、口金部１３の突出した部位がソケット４の開口に挿入されるとともに、ランプピン１４がソケット４のピン接続孔４Ａに挿入され、導電金具４Ｂと電気的に接続される。
【００１７】
発光モジュールＬＭは、例えばＬＥＤもしくはＯＬＥＤ等からなり、例えば口金部１３の他面側に配置されている。発光モジュールＬＭは内部配線ＣＢに接続されており、内部配線ＣＢは電線孔１１Ｈを通じて口金部１３の内部のコンバータに接続されている。そして、ランプピン１４を介して給電されコンバータにより所望の電圧に変換された電力が内部配線ＣＢを介して発光モジュールＬＭに印加される。
【００１８】
照射カバー１５は、ランプ本体１１の他面側であって発光モジュールＬＭ上に取り付けられている。照射カバー１５は、光透過性を有する材料からなっており、例えば発光モジュールＬＭから出射された光を拡散する機能を有している。
【００１９】
ここで、ランプ装置１０は、ソケット４への装着構造と器具本体２への落下防止構造とをそれぞれ別々に備えている。すなわち、ランプ装置１０がソケット４へ装着される際、口金部１３及びランプピン１４がソケット４に挿入され所定の方向に回転されることにより装着され支持される。さらに、ランプ装置１０は、口金部１３及びランプピン１４がソケット４に装着されていなくても、器具本体２からランプ装置１０が落下するのを防止することができる構造を有している。以下、詳細に説明する。
【００２０】
図７は、図４のランプ装置の通常時の状態を示す斜視図、図８は図７のランプ装置における係止部材及び操作部の様子を示す模式図であり、図６から図８を参照して係止部材２０及び操作部３０について説明する。ランプ装置１０は、ランプ本体１１の側壁１１Ｓ側にスライド自在に設けられた複数の係止部材２０と、照射カバー１５側に設けられ複数の係止部材２０のスライドを操作するための操作部３０とを有している。複数の係止部材２０は、ランプ本体１１の側壁１１Ｓから突出して器具本体２の係止溝２Ｂ（図１参照）にそれぞれ係止されるものであって、ランプ本体１１の側壁１１Ｓに複数設けられている。特に、複数の係止部材２０は、ランプ本体１１の中心に対し回転対称になる位置に設けられており、例えば１対の係止部材２０が中心に対し対称になる位置に設けられている。これにより、複数の係止部材２０によりランプ装置１０を器具本体２に安定して保持することができる。
【００２１】
係止部材２０は、ランプ本体１１の側壁１１Ｓから内方に向かって凹状に形成されたガイドレール１１Ａにおいて外方に向かってスライド可能に設けられている。具体的には、ヒートシンク１２の他面側には径方向に沿って凹状に形成されたガイドレール１１Ａが形成されており、係止部材２０はガイドレール１１Ａに載置されている。そして、係止部材２０は、ガイドレール１１Ａの底面においてヒートシンク１２に保持されながらガイドレール１１Ａに沿って径方向に移動する。
【００２２】
係止部材２０は、操作部３０に連結される連結部２１と、連結部２１の一端側に設けられ、ランプ本体１１における側壁１１Ｓの外方に向かって延びる突起部２２とを有している。連結部２１は、例えば矩形状に形成された凸部２１ａ及び凸部２１ａの両端に設けられた第１傾斜面２１ｂを備えている。連結部２１の他端側はバネ４０により側壁１１Ｓの外方に向かう方向に付勢されている。突起部２２は、ランプ本体１１の側壁１１Ｓから外方に突出して器具本体２の係止溝２Ｂに係止されるものであって、先端に曲面加工された面取り部を有している。なお、突起部２２の付け根部分には段差が形成されており、段差が照射カバー１５に当たることにより係止部材２０が側壁１１Ｓから脱落するのを防止している。
【００２３】
一方、操作部３０は、照射カバー１５上に設けられ、複数の係止部材２０のスライドを操作するものであって、例えば押しボタンからなっている。具体的には、照射カバー１５には複数の操作部３０に対応して複数のボタン孔１５Ａが形成されており、各ボタン孔１５Ａにそれぞれ操作部３０が挿入されている。そして、操作部３０はボタン孔１５Ａに挿入され照射カバー１５から突出した状態で、ランプ本体１１の厚み方向（矢印Ｚ１方向）に移動可能に支持されている。操作部３０は、係止部材２０の凸部２１ａが嵌り込む凹部３１と、凹部３１の開口縁部に形成された第２傾斜面３２とを有している。操作部３０の凹部３１に係止部材２０の連結部２１の凸部２１ａが嵌り込むとともに、係止部材２０の第１傾斜面２１ｂと操作部３０の第２傾斜面３２とが接触している。
【００２４】
図９は図４のランプ装置における操作部の押圧時の様子を示す斜視図、図１０は図９のランプ装置における係止部材及び操作部の様子を示す模式図である。図７から図１０に示すように、操作部３０が押された際、第２傾斜面３２から第１傾斜面２１ｂに力が加わる。すると、係止部材２０はバネ４０の付勢に反してガイドレール１１Ａに沿ってランプ本体１１の内方（図８の矢印α１方向）へ移動する。
【００２５】
図７〜図１０に示すように、操作部３０が押されていない通常時において、係止部材２０はバネ４０の付勢によりランプ本体１１の側壁１１Ｓから距離ΔＬだけ突出している。すると、図５に示すように、ランプ装置１０の外形は、ランプ本体１１の外径Ｒ１に１対の係止部材２０の突出した距離２ΔＬの長さを加算した距離Ｒ１＋２ΔＬの大きさを有している。一方、器具本体２の中空部２Ａの内径Ｒ０は、距離Ｒ１＋２ΔＬよりも小さく形成されている。したがって、ランプ装置１０が器具本体２へ装着される際には、突起部２２が中空部２Ａの壁面に押されながら挿入される。そして、突起部２２は係止溝２Ｂに当たる部位に位置したときにバネ４０の付勢により外方にスライド移動し、係止溝２Ｂに係止部材２０が係止された状態になる。
【００２６】
一方、係止部材２０は係止溝２Ｂに係止されている際に操作部３０が押されたとき、係止部材２０はランプ本体１１の内方に移動し、ランプ装置１０の外径は器具本体２の中空部２Ａの外径よりも小さくなる。すると、係止部材２０の係止溝２Ｂにおける係止状態が解除され、器具本体２からランプ装置１０を取り外すことができる（図９参照）。
【００２７】
次に、図１から図１０を参照してランプ装置１０の装着動作及び取り外し動作について説明する。まず、作業者がランプ装置１０を器具本体２へ取り付ける場合、突起部２２が側壁１１Ｓから突出した状態で器具本体２の中空部２Ａ内に挿入される。この際、中空部２Ａの縁部において突起部２２の先端の面取り部が当たり、中空部２Ａの縁部から突起部２２へ径方向に力が加えられる。すると、突起部２２がガイドレール１１Ａに沿ってスライド移動し、突起部２２が収容された状態でランプ装置１０が中空部２Ａ内へ挿入されていく。
【００２８】
その後、ランプ装置１０のランプピン１４がソケット４に装着された際、同時に突起部２２が係止溝２Ｂに対向する位置に位置決めされる。すると、突起部２２に押される力がなくなり、バネ４０により係止部材２０が側面の外方に延びて係止溝２Ｂに係止される。すなわち、複数の突起部２２がそれぞれ係止溝２Ｂに係止されることにより、ランプ装置１０の自重を支持している状態になる。この状態で、作業者はランプ装置１０を回転させることにより、ソケット４とランプピン１４とを電気的に接続させる。
【００２９】
一方、ランプ装置１０を取り外す際には、作業者がランプ装置１０を回転させることにより、ソケット４とランプピン１４との接続が解除される。この際、ランプ装置１０の係止部材２０が器具本体２側の係止溝２Ｂに引っ掛かった状態になっている。したがって、ランプピン１４がソケット４から外れた状態であっても、ランプ装置１０は器具本体２に保持されており、ランプ装置１０が不意に落下することを防止している。その後、作業者が操作部３０を押したとき、操作部３０に接続された係止部材２０の突起部２２がランプ本体１１の内部へスライドする。すると、突起部２２と器具本体２の係止溝２Ｂとの係止状態が解除され、ランプ装置１０が器具本体２から取り外し可能な状態になる。
【００３０】
このように、ランプ本体１１の照射カバー１５側に設けられた操作部３０の操作によりランプ本体１１の側壁１１Ｓに設けられた係止部材２０のスライドを操作することにより、側壁１１Ｓの器具本体２への着脱構造を照射カバー１５側において操作することができるため、照明器具１の大型化を抑制することができる。すなわち、従来のようにランプ装置の側壁１１Ｓを指で直接操作して係止状態を解除する必要がないため、指を挿入するための隙間を設ける必要がなくなり、照明器具１の小型化を実現することができる。
【００３１】
また、ソケット４とランプピン１４との取付構造とは別に、係止部材２０と係止溝２Ｂによる取付構造を設けることにより、器具本体２から口金部１３を外した際に不意にランプ装置１０が落下するのを防止することができるため、安全性及び利便性を向上させることができる。つまり、従来のランプ装置においては、ランプ装置をソケットから解除したときに重量が指先にかかることでランプ装置の保持状態が不安定になり、高所での作業などでは危険が生じる場合がある。また、省エネなどを目的に照明器具を間引き点灯させる場合、ランプ装置を不点灯の状態でソケットがランプを保持することができず、ランプ装置を取り外す必要があるため、手間を要している。一方、図１のランプ装置１０において、口金部１３とソケット４との接続状態が解除された場合であっても、係止溝２Ｂと係止部材２０との係止状態が解除されない限り、ランプ装置１０が器具本体２から脱落することがないため、安全性及び利便性を向上させることができる。
【００３２】
本発明の実施形態は、上記各実施形態に限定されない。例えば上記実施形態において、ランプ本体１１がヒートシンク１２の貫通孔１２ａに口金部１３が取り付けられた構造を有する場合について例示しているが、これに限定されず、例えばヒートシンク１２上に口金部１３が固定されている構造等の種々の公知の構造を採用することができる。
【００３３】
また、上記実施形態において、係止部材２０が２つ設けられている場合について例示しているが、３つ以上設けられたものであってもよい。さらに、複数の係止部材２０毎にそれぞれ操作部３０が設けられている場合について例示しているが、１つの操作部３０が複数の係止部材２０に接続され、その１つの操作部３０が押された際に複数の係止部材２０がランプ本体１１の内部に収容されるようにしてもよい。
【００３４】
また、図６及び図７において、係止部材２０側に凸部２１ａが設けられ、操作部３０側に凹部３１が設けられている場合について例示しているが、係止部材２０側に凹部が設けられ、操作部３０側に凸部が設けられていてもよい。さらには、操作部３０の操作により係止部材２０がスライドするものであれば上記構成に限定されず、種々の公知の機械要素を用いることができる。さらに、操作部３０は押しボタンからなる場合について例示しているが、係止部材２０のスライド移動を操作可能であればよく、引きボタン等からなっていてもよい。また、器具本体２の係止溝２Ｂが貫通孔からなる場合について例示しているが、係止部材２０が係止されるものであればその構成を問わず、突起部２２が側壁１１Ｓから突出した際に係止されるものであればよい。
【符号の説明】
【００３５】
１  照明器具、２  器具本体、２Ａ  中空部、２Ｂ  係止溝、２Ｃ  フランジ部、３  取付バネ、４  ソケット、４Ａ  ピン接続孔、４Ｂ  導電金具、１０  ランプ装置、１１  ランプ本体、１１Ａ  ガイドレール、１１Ｈ  電線孔、１１Ｓ  側壁、１２  ヒートシンク、１２ａ  貫通孔、１３  口金部、１４  ランプピン、１５  照射カバー、１５Ａ  ボタン孔、２０  係止部材、２１  連結部、２１ａ  凸部、２１ｂ  第１傾斜面、２２  突起部、３０  操作部、３１  凹部、３２  第２傾斜面、４０  バネ、ＣＢ  内部配線、ＬＭ  発光モジュール、Ｒ０  中空部の内径、Ｒ１  ランプ本体の外径。
【図１】
2015201370.tif 000003
【図２】
2015201370.tif 000004
【図３】
2015201370.tif 000005
【図４】
2015201370.tif 000006
【図５】
2015201370.tif 000007
【図６】
2015201370.tif 000008
【図７】
2015201370.tif 000009
【図８】
2015201370.tif 000010
【図９】
2015201370.tif 000011
【図１０】
2015201370.tif 000012